(57)【特許請求の範囲】
【請求項１】
凹部及びカム壁部を有するケースと、ケース内に回転可能に配置されたロータと、ロータ内に滑動可能に配置されたマグネットタンブラと、マグネットタンブラをケースの凹部内に押圧するタンブラスプリングと、ロータ内に径方向に滑動可能に配置されカム壁部に当接するスライダと、スライダに取り付けられかつケースから外側に突出しかつロック装置のキー孔内に係合可能な係止部とを備え、
正規のキーをケースに接近させたとき、マグネットタンブラがケースの凹部から離間し、ケースの回転によりカム壁部がスライダ及び係止部を径方向に移動させ、ロック装置のキー孔から係止部を取り外すことができるロック保護装置において、
係止部とほぼ並行にケースから外側に突出する固定突起を設け、
係止部がキー孔内に係合したとき、固定突起がキー孔内に挿入されることを特徴とするロック保護装置。
【請求項２】
固定突起は中心軸に対して対称に一対形成される請求項１に記載のロック保護装置。
【請求項３】
ケースはロック装置と対向して配置されるリッドを有し、固定突起はリッドの外側に突出する請求項１に記載のロック保護装置。
【請求項４】
凹部及びカム壁部を有するケースと、ケース内に回転可能に配置されたスリーブと、スリーブ内に回転可能に配置されたロータと、スリーブ内に滑動可能に配置されたマグネットタンブラと、マグネットタンブラをケースの凹部内に押圧するタンブラスプリングと、スリーブの支持孔内に配置されカム壁部に当接する転動部材と、ロータ内に径方向に滑動可能に配置されカム壁部に当接するスライダと、スライダに取り付けられケースから外側に突出しかつロック装置のキー孔内に係合可能な係止部とを備え、
ケースを回転させたとき、マグネットタンブラによりケースとスリーブとがロータに対して相対的に回転し、
正規のキーをケースに接近させたとき、マグネットタンブラがケースの凹部から離間し、ケースの回転によりケースのカム壁部が転動部材を介してスライダ及び係止部を径方向に移動し、ロック装置のキー孔から係止部を取り外すことができるロック保護装置において、
ロータに一体に形成された固定突起を係止部とほぼ並行にケースから外側に突出させ、
係止部がキー孔内に係合したとき、固定突起がキー孔内に挿入されることを特徴とするロック保護装置。
【請求項５】
固定突起は中心軸に対して対称に一対形成される請求項４に記載のロック保護装置。
【発明の詳細な説明】
【０００１】
【産業上の利用分野】
この発明は保護装置、特にロック装置のキー孔を閉鎖してロック装置の不正解錠又はいたずらを防止できるロック保護装置に関連する。
【０００２】
【従来の技術】
例えば、特公昭５８−２１０６５号公報に示されるように、自動車のキー孔ロック装置は公知である。このロック装置は、自動車のドアキー又は始動キー孔内に係止突起を有する先端が閉状態で挿入可能でありかつ互いの先端が接離方向に開閉自在に設けられた２本の開閉部材を有する装置本体を備えている。２本の開閉部材の係止突起は、閉状態でキー孔の口端縁に内側から係止して抜け止めされ、ロック装置本体の開閉部材の先端開状態はロック手段により固定される。このロック装置をキー孔に固定すると、固定されたキー孔にキーを挿入できない利点があり、無断駐車を防止することができる。
【０００３】
また、第３００８４０７号登録実用新案公報に示されるように、車両に設けられたシリンダ錠の鍵孔に異物を挿入されることによって破壊又は盗難を防止するシリンダ錠保護装置は公知である。このシリンダ錠保護装置は、シリンダ錠のキーシリンダ内に挿入されるロックプレートとガイドプレートとを備えている。ロックプレートはキーの部分が所定のキープレートの板厚、板巾とも、それぞれほぼ半割り形状で、かつキーシリンダ内のタンブラの位置に凹部を有する。ロックプレートとガイドプレートとを重ね合わせて所定のキーシリンダの鍵穴に挿入した時に、キーシリンダ内で重ねたキー巾が変化するように摺動させるガイド機構が設けられ、ガイドプレートに形成された凸部はキーシリンダのタンブラ溝に係止され、所定の位置でロックされる。このように、シリンダ錠に保護装置を装着して、シリンダ錠の破壊又は盗難を防止することができる。
【０００４】
【発明が達成しようとする課題】
ところで、前記シリンダ錠保護装置では、ガイドプレートとキープレートとをシリンダ錠内に挿入したとき、シリンダ錠の鍵穴とガイドプレート及びキープレートとの間でガタが発生し、このため、ガイドプレートが内側に押されて凸部の係止が外れ、シリンダ錠保護装置がシリンダ錠から脱落する危険があり、シリンダ錠を保護する初期の目的を達成できない場合がある。
【０００５】
この発明はロック装置のキー孔にガタが生ずることなく確実に嵌合されるロック保護装置を提供することを目的とする。
【０００６】
【課題を達成するための手段】
この出願の第１の発明によるロック保護装置は、凹部及びカム壁部を有するケースと、ケース内に回転可能に配置されたロータと、ロータ内に滑動可能に配置されたマグネットタンブラと、マグネットタンブラをケースの凹部内に押圧するタンブラスプリングと、ロータ内に径方向に滑動可能に配置されカム壁部に当接するスライダと、スライダに取り付けられかつケースから外側に突出しかつロック装置のキー孔内に係合可能な係止部とを備えている。正規のキーをケースに接近させたとき、マグネットタンブラがケースの凹部から離間し、ケースの回転によりカム壁部がスライダ及び係止部を径方向に移動させ、ロック装置のキー孔から係止部を取り外すことができる。係止部とほぼ並行にケースから外側に突出する固定突起が設けられ、係止部がキー孔内に係合したとき、固定突起がキー孔内に挿入される。固定突起は中心軸に対して対称に一対形成される。ケースはロック装置と対向して配置されるリッドを有し、固定突起はリッドの外側に突出する。
【０００７】
この出願の第２の発明によるロック保護装置は、凹部及びカム壁部を有するケースと、ケース内に回転可能に配置されたスリーブと、スリーブ内に回転可能に配置されたロータと、スリーブ内に滑動可能に配置されたマグネットタンブラと、マグネットタンブラをケースの凹部内に押圧するタンブラスプリングと、スリーブの支持孔内に配置されカム壁部に当接する転動部材と、ロータ内に径方向に滑動可能に配置されカム壁部に当接するスライダと、スライダに取り付けられケースから外側に突出しかつロック装置のキー孔内に係合可能な係止部とを備えている。ケースを回転させたとき、マグネットタンブラによりケースとスリーブとがロータに対して相対的に回転する。正規のキーをケースに接近させたとき、マグネットタンブラがケースの凹部から離間し、ケースの回転によりケースのカム壁部が転動部材を介してスライダ及び係止部を径方向に移動し、ロック装置のキー孔から係止部を取り外すことができる。ロータに一体に形成された固定突起は係止部とほぼ並行にケースから外側に突出する。係止部がキー孔内に係合したとき、固定突起がキー孔内に挿入される。固定突起は中心軸に対して対称に一対形成される。
【０００８】
【作用】
固定突起はロック装置のキー孔に嵌合され、ガタが生ずることなくロック装置に対してロック保護装置を確実に固定できる。ロック装置に対してロック保護装置を一度固定すると、正規のキーを使用しないロック保護装置の取り外しを防止することができる。
【０００９】
【実施例】
以下、この発明によるロック保護装置の実施例を図１〜図３０について説明する。
【００１０】
まず、図５〜図１７は施錠時にケースに対してロータの回転を阻止するこの発明の基本的な第１の構成例を示す。図５〜図１７に示すロック保護装置は前壁１ａ及び前壁１ａに連結された側壁１ｂとを備えたケース１を有する。ケース１の前壁１ａの内面には複数の同一円周状にほぼ等角度間隔で形成された凹部１０が形成される。ケース１の側壁１ｂの内面にはほぼＶ字断面のカム壁部１１が形成される。カム壁部１１はＵ字断面でもよい。ケース１内にはホルダ１２を有するロータ２が回転可能に配置される。ホルダ１２にはケース１の凹部１０に対応して軸方向に形成された複数の保持孔１３が設けられ、各保持孔１３内にはマグネットタンブラ３とタンブラスプリング４が配置され、マグネットタンブラ３はタンブラスプリング４によりケース１の凹部１０に向かって押圧される。図１０に示すように、ケース１の前壁１ａには馬蹄形の窪み１ｃが形成される。
【００１１】
ロータ２に形成されたスライダ孔１５内には一対のスライダ５が径方向に滑動可能に配置される。一対のスライダ５の円形突起５ａはスライダスプリング１９によりケース１のカム壁部１１に向かって径方向外側に押圧される。スライダ５に取り付けられた係止部６はケース１から外側に突出しかつシリンダ錠等のロック装置３０に設けられたキー孔３１の径方向壁３２に係合される。金属製の係止部６に形成された孔６ａには樹脂製のスライダ５の樹脂が部分的に固着され、係止部６はスライダ５に固定される。ケース１の前部にはケース１の一部を構成するワッシャ１６及びリッド１７がケース１に固定される。ワッシャ１６はゴム材等の弾性部材で形成され、シリンダ錠とのガタを防止する。図９に示すように、リッド１７はケース１に対して加締め部１７ａにより固定される。ロック装置３０は例えばドアパネル４０に取り付けられる。
【００１２】
図１２のキー２０にはケース１内のマグネットタンブラ３に対向して同一円周上に複数のマグネット２１が設けられる。キー２０の表面にはケース１の窪み１ｃに嵌合する突起２２が形成され、キー２０の裏面に形成された環状凹部２４には金属材のプレート２３が適宜の接着剤又は熱溶着等により接着される。キー２０の裏面には突起２２と同一形状の突起２５が形成され、突起２５をケース１の窪み１ｃに嵌合してキー２０を携帯することができる。各マグネットタンブラ３に対向する各マグネット２１はマグネットタンブラ３の極性と同極性を有し、キー２０を接近させたとき、磁石の同極性によりタンブラスプリング４の弾力に抗してマグネットタンブラ３がマグネット２から離間する方向に移動される。このため、マグネットタンブラ３がケース１の凹部１０から離脱して、ケース１をロータ２に対して相対的に回転可能な状態となる。
【００１３】
上記の構成において、正規のキー２０をケース１に接近させてキー２０の突起２２を窪み１ｃに嵌合すると、図５、図７、図１３〜図１５に示すように、マグネットタンブラ３がケース１の凹部１０から離間して、ケース１とロータ２とを相対的に回転可能な状態となる。この状態で正規のキー２０と共にケース１を回転させたとき、ケース１がロータ２に対して相対的に回転され、図６、図８、図１６及び図１７に示すように、ケース１のカム壁部１１の回転によってスライダ５及び係止部６を径方向に移動し、ロック装置３０のキー孔３１から係止部６を取り外すことができる。
【００１４】
異種のキーをケース１に接近させたとき、マグネットタンブラ３がケース１の凹部１０に係合した状態に保持されるため、ケース１とロータ２とを相対的に回転することができないから、係止部６を径方向に移動することができない。本実施例では、ホルダ１２をロータ２と一体に形成してもよい。
【００１５】
図１８〜図３０は異種キーの使用時に係止部６を径方向に移動することなくケース１が自由回転を行う第２の構成例を示す。図１８〜図３０では図１〜図１７に示す第１の構成例と同一の箇所には同一の符号を付し、説明を省略する。
【００１６】
第２の構成例を示す図１８〜図３０から明かなように、ケース１内にはスリーブ７が回転可能に配置され、スリーブ７内には更にロータ２が回転可能に配置される。スリーブ７の保持孔１３内にタンブラスプリング４と共に収容されたマグネットタンブラ３は、軸方向に滑動可能に配置される。スリーブ７の支持孔７ａ内にはボール又はローラ等の転動部材２５が配置される。転動部材２５はケース１のカム壁部１１に当接すると共に、スライダ５に当接している。
【００１７】
また、図２１に示すように、ロータ２には径方向に形成されたスプリング孔２６が形成され、スプリング孔２６内にはボールスプリング２７とボールスプリング２７の両端部に隣接する一対のボール２８が配置される。また、スリーブ７の内壁７ａにはＶ字状の切欠部２９が形成され、ボール２８はボールスプリング２７の弾力により切欠部２９に対して押圧される。
【００１８】
第２の構成例では、正規のキー２０をケース１に接近させかつ回転させたとき、図１８に示すように、マグネットタンブラ３がケース１の凹部１０から離間して、ケース１とスリーブ７及びロータ２を相対的に回転できる状態となる。この状態で正規のキー２０を回転してケース１を回転すると、図１９及び図２３〜図２５に示すように、スリーブ７とロータ２はボール２８により一体になっているため、ケース１がスリーブ７及びロータ２に対して相対的に回転し、ケース１のカム壁部１１の回転によって転動部材２５を介してスライダ５及び係止部６を径方向に移動し、ロック装置３０のキー孔３１から係止部６を取り外すことができる。
【００１９】
正規のキーを使用せずにケース１を回転させると、図２６に示すように、マグネットタンブラ３はケース１の凹部１０に嵌合された状態のままであるため、この状態で、キーを回転させると、図２７及び図２８〜図３０に示すように、マグネットタンブラ３によりケース１とスリーブ７とがロータ２に対して相対的に回転し、スライダ５及び係止部６を径方向に移動できない。このとき、図２１に示すボール２８は、図２９に示すように、ボールスプリング２７の弾力に抗して径方向内側に移動される。これは正規のキーを使用したときに、スリーブ７とロータ２を保持すると共にボール２８が切欠部２９に嵌合することにより正規の位置を検出することができるためである。
【００２０】
この出願の発明では、図１〜図４に示す係止部６とほぼ並行にケース１から外側に突出する一対の固定突起５０がロータ２に一体に形成される。固定突起５０は図５〜図３０に示す構成例に付加することができる。ロータ２及びキーシリンダは例えば亜鉛ダイカストにより形成され、固定突起５０はキー孔３１の寸法に対して約１００分の５ミリメートル以下の精度でかつ中心軸に対して対称に形成される。また、固定突起５０は図２に示すように、係止部６とほぼ同一の幅を有し、固定突起５０の側面５０ａは係止突起６の側面とほぼ同一の平面上にある。また、固定突起５０の端面５０ｂは係止部６の高さ方向の端面とほぼ同一の平面上にあるか又はやや高く、係止部６は端面５０ｂから突出しない。固定突起５０はロック装置３０と対向して配置されるケース１のワッシャ１６の外側に突出する。従って、係止部６と共に固定突起５０をロック装置３０のキー孔３１内に挿入したとき、固定突起５０はロック保護装置とロック装置３０との間のガタを減少する。又、固定突起５０により、係止部６はキー孔３１の中心に案内されるため、確実に係止することができる。更に、外部からの攻撃に対する力を固定突起５０で受けることができ、係止部６が外れることがない。このため、固定突起５０は、大きなガタを生ずることなくロック装置３０に対して正規の位置にロック保護装置を確実に固定する。一度ロック保護装置をロック装置３０に固定すると、正規のキーを使用せずにロック装置３０に対してロック保護装置を除去することを防止することができる。
【００２１】
図１〜図４に示す例は図１８〜図３０に示す例に適用されるが、図１〜図４に示す例を図５〜図１７に示す例に適用してもよい。この場合、一対の固定突起５０は、ワッシャ１６、リッド１７又はロータ２に一体に形成される。
【００２２】
また、固定突起５０は、第３００８４０７号登録実用新案公報記載の従来技術にも適用できる。この場合、動作可能な係止部（ガイドプレート）側に固定突起５０を１個のみ形成してもよい。
【００２３】
【発明の効果】
前記のように、この発明によるロック保護装置は、正規の位置でガタを生ずることなくロック装置のキー孔に対して確実に固定され、正規のキーを使用せずにロック装置に対してロック保護装置を除去することを防止することができるので、ロック装置に対する破壊を防止すると共に、不正解錠を確実に防止し、盗難防止効果を向上することができる。
【図面の簡単な説明】
【図１】  この発明によるロック保護装置をロック装置に装着した状態を示す断面図
【図２】  図１のＡ−Ａ線に沿う断面図
【図３】  この発明によるロック保護装置の側面図
【図４】  この発明によるロック保護装置の正面図
【図５】  第１の構成例を備えたロック保護装置をロック装置に装着した状態を示す断面図
【図６】  図５のロック保護装置をロック装置から外す状態を示す断面図
【図７】  第１の構成例を備えたロック保護装置の断面図
【図８】  ロック装置から外す状態を示す第１の構成例のロック保護装置の断面図
【図９】  第１の構成例を備えたロック保護装置の正面図
【図１０】  第１の構成例を備えたロック保護装置の背面図
【図１１】  第１の構成例を備えたロック保護装置に使用するキーの正面図
【図１２】  第１の構成例を備えたロック保護装置に使用するキーの背面図
【図１３】  図７のＡ−Ａ線に沿う断面図
【図１４】  図７のＢ−Ｂ線に沿う断面図
【図１５】  図７のＣ−Ｃ線に沿う断面図
【図１６】  図８のＡ−Ａ線に沿う断面図
【図１７】  図８のＢ−Ｂ線に沿う断面図
【図１８】  フリーターン構造を有する第２の構成例を備えたロック保護装置の断面図
【図１９】  ロック装置から外す状態を示す図１８のロック保護装置の断面図
【図２０】  図１８のＡ−Ａ線に沿う断面図
【図２１】  図１８のＢ−Ｂ線に沿う断面図
【図２２】  図１８のＣ−Ｃ線に沿う断面図
【図２３】  図１９のＡ−Ａ線に沿う断面図
【図２４】  図１９のＢ−Ｂ線に沿う断面図
【図２５】  図１９のＣ−Ｃ線に沿う断面図
【図２６】  異種キーを接近させた状態の第２の構成例のロック保護装置の断面図
【図２７】  異種キーを接近させかつ回転させた状態の第２の構成例のロック保護装置の断面図
【図２８】  図２７のＡ−Ａ線に沿う断面図
【図２９】  図２７のＢ−Ｂ線に沿う断面図
【図３０】  図２７のＣ−Ｃ線に沿う断面図
【符号の説明】
１・・ケース、  １ａ・・前壁、  １ｂ・・側壁、  ２・・ロータ、  ３・・マグネットタンブラ、  ４・・タンブラスプリング、  ５・・スライダ、  ６・・係止部、  ７・・スリーブ、  １０・・凹部、  １１・・カム壁部、  １２・・ホルダ、  １３・・保持孔、  １４・・カバー、  １５・・スライダ孔、  ２０・・キー、  ２５・・転動部材、  ２６・・スプリング孔、  ２７・・ボールスプリング、  ２８・・ボール、  ２９・・切欠部、  ３０・・ロック装置、  ３１・・キー孔、  ５０・・固定突起、
【図１】
0003708162.tif 000002
【図２】
0003708162.tif 000003
【図３】
0003708162.tif 000004
【図４】
0003708162.tif 000005
【図５】
0003708162.tif 000006
【図６】
0003708162.tif 000007
【図７】
0003708162.tif 000008
【図８】
0003708162.tif 000009
【図９】
0003708162.tif 000010
【図１０】
0003708162.tif 000011
【図１１】
0003708162.tif 000012
【図１２】
0003708162.tif 000013
【図１３】
0003708162.tif 000014
【図１４】
0003708162.tif 000015
【図１５】
0003708162.tif 000016
【図１６】
0003708162.tif 000017
【図１７】
0003708162.tif 000018
【図１８】
0003708162.tif 000019
【図１９】
0003708162.tif 000020
【図２０】
0003708162.tif 000021
【図２１】
0003708162.tif 000022
【図２２】
0003708162.tif 000023
【図２３】
0003708162.tif 000024
【図２４】
0003708162.tif 000025
【図２５】
0003708162.tif 000026
【図２６】
0003708162.tif 000027
【図２７】
0003708162.tif 000028
【図２８】
0003708162.tif 000029
【図２９】
0003708162.tif 000030
【図３０】
0003708162.tif 000031